(57)【要約】【課題】視覚障害者が、触覚だけで簡単に操作できる、実用性の高いボイスメモが求められている。【解決手段】録音・再生可能な件数と同数の指定ボタンを、規則的に配置する。【選択図】図１
2017134378.tif 000002
【特許請求の範囲】
【請求項１】
一般に周知されている留守番電話と同様に、１件づつ独立して、音声及びその他の音を録音再生可能な装置であって、装置本体に録音可能な音声等の件数と同数の指定スイッチを有し、各指定スイッチを操作する事により、各指定スイッチ毎に独立して録音及び再生が可能、即ち指定スイッチの数と同じ件数の音声等を個別に録音再生可能とした装置において、以下のいずれか、又はいずれか複数の特徴を有するボイスレコーダー。尚、指定スイッチは、指等で押す操作によってＯＮとなる押しボタン式とし、押しボタンと同様、触覚によって操作状態を判別可能な、スライド式スイッチ、切り替え式スイッチ、レバー式スイッチ、回転式スイッチも含む。
１、各指定スイッチに、件数に対応する番号を付与した。即ち、録音再生可能な件数が１０件の場合、各指定スイッチに１から１０の番号を付与する。尚、番号の替りに、アルファベットや平仮名、カタカナなど、各指定スイッチを判別可能な記号を付与する構成も含む。
２、指定スイッチの配列を、縦又は横、又は斜めの一列とした、又は縦又は横又は斜めの複数列とした、又は曲線状に配列した、又は円形に配列した、又は多角形に配列した。尚、所定の幾何学的な配列とし、触覚のみによって各指定スイッチの位置を判別可能に装置した構成も含む。
３、指定スイッチの配列を、千鳥配列とした。即ち、各ボタンに連続する数字が付与されている状態において、縦又は横の一列配列に対し、奇数番と偶数番のボタンの配列をずらし、互い違いとした。
４、指定スイッチを、所定の規則に基づいて配列した。尚、規則に基づいた配列とは、例えばボタンを、２個・３個・２個・３個と一定間隔で配置する構成や、斜めに３個を並べ、それを横方向に一定間隔で配置する構成など、触覚のみで、何番の指定スイッチなのか判別可能とした全ての構成を指す。
５、指定スイッチを、１個又は複数の回転式スイッチとし、方向性を有するツマミを設ける事によって、各番号のスイッチを指定可能に装置した。尚、方向性を有するツマミとは、凸型や矢印型の様に、触覚のみで、ツマミが指す方向を判別可能な形状の物を指す。
６、録音用スイッチと、再生用スイッチを設け、録音用スイッチと同時に任意番号の指定スイッチを操作する事で当該番号に録音され、再生用スイッチと同時に当該番号の指定スイッチを操作する事により、当該番号に録音された音声等を再生する様に装置した。
７、各指定スイッチを、録音・中立・再生の、３方向スイッチとし、任意の番号の指定スイッチを操作する事により、当該番号の録音と再生ができる様に装置した。
８、本体に、メインスイッチを設け、このスイッチをＯＦＦにすると、全ての電源が切れる様に装置すると共に、不用意にスイッチが操作されない様に、スイッチを覆うカバーを設けた。尚、カバーを、本体を保持する為の取っ手と兼用とした構成も含む。
９、本体形状を略立方体とし、形状の一部に凹部、凸部、貫通孔、突起、面取りのいずれか、又はいずれか複数の形状を設け、触覚だけで本体の向きを認識可能に装置した。尚、本体を確実に手で保持する為、指を入れる孔を設けた構成や、指の形状に沿った凹凸を設けた構成や、本体の一部に滑り止めのゴムや軟質樹脂を取り付けた構成や、本体形状を非対称形状とした構成や、動物や各種立体物を真似た形状とした構成も含む。
１０、本体内部に傾斜センサーを装置し、本体の傾きと指定スイッチの組み合わせにより、乗算された数の録音・再生を可能にした。尚、乗算された数の録音・再生とは、例えば、指定スイッチが５個の時、本体の左傾斜、直立、右傾斜を組み合わせる事で、１５件の録音・再生を可能にする機能を指す。
１１、本体内部に加速度センサーを装置し、本体の振り方と指定スイッチの組み合わせによって、上記１０と同じ機能が得られる様に構成した。尚、電子式加速度センサーの他、重りを弾性部材で連結し、加速度によって動く重りにより、スイッチを操作する構成も含む。
１２、本体に倍数スイッチを装置し、このスイッチと指定スイッチの組み合わせにより、乗算された数の録音・再生を可能にした。尚、乗算された数の録音・再生とは、例えば、倍数スイッチを３段階のスライド式スイッチとし、指定スイッチが５個の場合、合計１５件の録音・再生を可能にする機能を指す。
１３、本体の一部又は全部を、衝撃吸収材、又は軟質樹脂、又はゴムで覆った。
１４、録音する際、既に何らかの音が記録されている場合は、上書きする様に装置した。
１５、上書き禁止スイッチを設け、このスイッチと同時に指定スイッチを操作する事により、当該番号は、上書き及び消去ができなくなる様に装置した。
１６、指定スイッチの表面に、点字状の突起、又は触覚で判別可能な凹凸を設けた。
１７、本体の表面に階段状の段差を設け、各段上に所定の数の指定スイッチを配列した。
１８、指定スイッチのボタンの高さを不均一とし、触覚により判別可能とした。尚、高さを不均一とは、例えば偶数番号と奇数番号でスイッチの高さを変える構成などを指す。
１９、指定スイッチの大きさを不均一とし、触覚により判別可能とした。尚、大きさを不均一にするとは、例えば偶数番号と奇数番号でボタンの直径を変える構成などを指す。
２０、本体に、録音・再生用の電源として乾電池を内蔵し、電池格納部の蓋は、ネジ込み式とした。即ち、手を滑らせて本体を落としても開く事が無く、同時に、視覚障害者が触覚だけで簡単に開閉が可能な構造とした。
【請求項２】
以下のいずれか、又はいずれか複数の特徴を有する、請求項１に記載のボイスレコーダー。
１、操作によって、サイレンを鳴らす、又は所定の音声や音を最大ボリュームで再生する、又は設定した番号の録音内容を最大ボリュームで再生する、緊急用スイッチを、本体に設けた。
２、加速度センサーを装置し、本体を振る動作を感知した場合は、サイレンや音の再生を停止する様に構成した。即ち、誤操作による音の発生を、瞬時に停止可能に装置した。
３、加速度センサーを装置し、本体が、設定以上の高さから落下した衝撃を感知した場合は、一定時間、所定の音声、又は設定した番号の録音内容を再生する様に構成した。
４、緊急用スイッチは、ツマミや取っ手を引く事によってＯＮとなる様に装置した、又は、ピンを引き抜く事によってＯＮとなる様に装置した。
５、本体に、スイッチと電球を装置し、録音・再生用の電源、又は専用電源と接続し、懐中電灯の機能を備えた。
６、本体に一括再生スイッチを装置し、このスイッチを操作する事により、１番目から順番に連続して再生する、又は最新の録音から順番に連続して再生する、又は古い録音から順番に再生する様に構成した。
７、本体表面に電源接続用のコネクターを設け、外部電源を接続可能に装置した。尚、この構成において、内臓電池を充電式電池とし、外部電源にて充電可能とした構成も含む。
８、本体に、緊急録音スイッチを設けた。尚、緊急録音スイッチとは、押しボタン式のスイッチで、これを押す動作により電源ＯＮとなり、同時に所定の番号の指定スイッチへの録音が開始される様に装置され、ボタンを放すと録音が停止し、常に当該番号へ上書き録音する様に装置したものを指す。
９、本体の背面、又は表面のいずれかに太陽電池を装置し、内臓した電池への充電を可能とした。
１０、本体を、盲導犬のハンドル、又は白色の盲人用杖に着脱可能に装置した。尚、着脱可能とは、バンドやクリップや締結部材による取り付けを指し、取付け時は、自動又は手動により、加速度センサーをＯＦＦにできる様に装置した構成も含む。
１１、本体を、盲人用白色杖と一体に構成した、又は白色杖の握り部に、本体を内蔵した。
１２、倍数スイッチを、住所や名前や電話番号などの分類ボタンとした。尚、分類ボタンとは、例えば住所ボタンを操作すると、各指定ボタンが住所のグループに意味づけされるなど、各指定ボタンの録音内容を整理・分類する為の装置であり、当該ボタンの操作により、住所、名前などと、分類名を音声で再生する様に装置した構成も含む。
１３、指定スイッチと倍数スイッチの組合せにより、四則計算を可能とした。尚、スイッチの組合せとは、例えば、４個の倍数スイッチを、それぞれ＋・−・×・÷の四則に当て嵌め、１０個の指定スイッチを０から９までの数字として電卓として使用可能とした構成を指し、電卓への切り替えスイッチを備えた構成や、計算結果を音、又は音声で再生する構成も含む。
１４、本体に磁気センサーを装置し、本体表面に方位確認スイッチを備え、メインスイッチがＯＮの時に本体を略水平に保持し、方位確認スイッチを操作すると、本体の所定部分が真北、又は略北方向を向いた時に、所定のメッセージを再生、又はブザーやチャイムなどの所定の音を発生し、視覚障害者にも方位が判別可能に構成した。
【発明の詳細な説明】
【技術分野】
【０００１】本発明は、主として視覚障害者の使用に特化した、簡易的なボイスメモに関する。
【背景技術】
【０００２】市販のボイスレコーダーは、所定のデータ保存容量を有し、その容量内であれば、何件でも録音が可能であり、また、連続で長時間録音する事も可能で、非常に利便性が高い。録音する際は、録音者自身が特定の番号や記号で題名を付けてデータを保存し、再生する際は、表示画面を見て再生したい題名の録音を検索し、再生を行う。
しかし、全ての操作は、表示画面を見て行う構造の為、視覚障害者には、一切操作ができない。
【先行技術文献】
【非特許文献】
【０００３】
【非特許文献１】  インターネット上の市販品情報：株式会社バンダイ  ママレード・ボーイ  ボイスメモ
【非特許文献２】  インターネット上の市販品情報：有限会社クネット  ＭＫ−１４３Ｂ
【発明の概要】
【発明が解決しようとする課題】
【０００４】現在、多数のボイスレコーダーが市販されており、インターネットで検索すれば、多数の商品が簡単に発見できる。しかし、それらは全て、健常者向けの商品であり、表示画面を目視で確認して操作する構造の為、視覚障害者は使用する事ができない。
さらに最近は、スマートフォン用の専用アプリも多数存在し、スマートフォンをボイスレコーダーと兼用とする事も可能であるが、やはりモニター画面を目視できなければ一切操作ができない。
また、健常者であれば、ちょっとした備忘録（防備録とも言う）として、『○日に、歯医者を予約』とか、『帰りに○○を買って帰る』などのメモを手帳や日記に記録し、後でページをめくれば簡単に思い出す事ができるが、視覚障害者には、この簡単なメモを取る事ができない。従って、生活する上で不便を強いられている視覚障害者こそ、操作が簡単な『音声メモ』を求めている。【０００５】市販されている［非特許文献１］は、確かに視覚障害者でも触覚のみで操作は可能だが、録音が３件しかできず、実用性に欠け、玩具の領域を出ない。また、ボタンが３個なので、触っただけで、左・中・右の判別ができるが、ボタンが増えた場合は操作ができず、実用性が皆無である。
市販されている［非特許文献２］は、８件の録音と再生が独立して実施可能な回路であるが、これも、目視によってボタンを選択する構造であり、視覚障害者には操作ができない。
即ち、視覚障害者が求めている、触角だけで操作可能な簡単なボイスメモは存在していない。【０００６】そこで、高性能な長時間録音機能や、高音質の再生機能などは排除し、音声でメモを取る機能だけに特化した上、視覚障害者が、触覚だけで簡単に操作ができるボイスレコーが求められている。また、視覚障害者用に特化すれば、モニター画面を使った操作に不慣れな高齢者にも使い易くなり、極めて利便性が高くなる。
具体的には、以下の『問題点』や『要求』を、全て解決する事が、本発明の課題である。
１、市販のボイスレコーダーでは、視覚障害者がモニター画面を視認できない。
２、触覚だけで操作が可能な、録音・再生装置が存在しない。
３、据え置き型の大型装置では利便性が悪い。身に付けて持ち歩けなければならない。
４、間違った音を出して焦った時にも、目視に頼らず、瞬時に再生を止めたい。
５、少なくとも、１０件程度の音声メモを記録したい。
６、記録した音声の中から、再生したい音声メモを瞬時に探し出したい。具体的には、例えば音声メモが１０件記録されている場合、触覚だけで瞬時に７番目を探し出せる機能が必要。
７、操作中、手が滑って落としてしまった場合でも、視覚障害者が簡単に探せる様にしたい。
８、緊急時に、周囲の人に助けを求められる機能が欲しい。
９、手帳にメモを書く、消して上書きする、別のページに次のメモを書く、ページをめくって必要なメモを探し出す、手帳をポケットに入れて持ち歩く・・・など、健常者が極普通にできる作業を、視覚障害者にできる様にしたい。
１０．ちょっとした計算を行いたくても、視覚障害者は電卓の計算結果を読み取れない。
１１、歩行中につまづいて転倒した際、視覚障害者は自分が進むべき方向を認識できなくなる場合があり、横断歩道、踏み切り、段差のある道路などで方角を誤まると、極めて危険。
【課題を解決するための手段】
【０００７】課題を解決する為には、本発明の請求項１から請求項２の、いずれかに記載された構成を１つ、又は複数選択して採用する。その内容は、概略、以下の構成を指す。
１、所定の数（例えば１０個）の録音・再生装置を用意し、それぞれに番号を付与する。
２、録音装置はそれぞれ独立して録音と再生が可能とし、各番号のスイッチで操作する。
３、各番号のスイッチは、触覚だけで希望する番号のスイッチを瞬時に探せる様に、所定の規則に基づき、配列する。
４、加速度センサーを装置し、本体を振る動作で、瞬時に再生を止める機能を設ける。
【発明の効果】
【０００８】本発明の、請求項１から請求項２のいずれかに記載された構成を、複数組合せて採用すれば、視覚障害者でも簡単に『メモを取る』作業が可能となり、必要なメモを瞬時に探しだして、音によってメモ内容を確認する事ができる。
また、誤操作によって焦ってしまい、再生を止めるスイッチがどこにあるか判らなくなっった時も、本体を振る動作だけで瞬時に止める事ができるので、視覚障害者にとって、極めて安心である。
さらに、視覚障害者用に特化し、所定の件数の音声メモを録音・再生する機能だけに絞った為、画面を見ながらの操作に不慣れな高齢者でも、簡単に使用する事が可能となり、利便性が高い。
緊急時にサイレンを鳴らしたり、『助けて下さい』などの緊急音声を最大音量で再生する機能も設けられている為、視覚障害者や高齢者が、普段から身に付けておく装置として、有効活用できる。
【図面の簡単な説明】
【０００９】
【図１】  本発明のボイスレコーダー本体の、正面図を表す模式図である。
【図２】  本発明の録音・再生装置の、回路図を表す。
【発明を実施するための形態】
【００１０】本発明を実施し、課題を解決する為の形態や構成は、請求項１から請求項２に詳述された通りであり、そのいずれか、又はいずれか複数を選択すれば良い。その構成の一例を、図を使用して説明する。
【実施例】
【００１１】図１は、本発明品を製品化した場合の一例を示す。本体１には、左右比対象に指を入れて保持する為の取っ手２と取っ手８が設けられている為、視覚障害者が瞬時に本体の向きを把握できる。また、メインスイッチ３は、取っ手２の内側に装置されているので、何かにぶつかって不用意に操作される事が無く、また、指が触れる取っ手の内側なので、視覚障害者でも非常に操作し易い。【００１２】音声を録音する際は、録音・再生切り替えスイッチ４を録音側にスライドさせ、任意の指定ボタン５を押しながらマイク６に向かって話しをする。再生する際は、切り替えスイッチ４を再生側にスライドさせ、所定の指定ボタン５を押すと、スピーカー７から録音された音声などが流れる。【００１３】図１の構成では、指定スイッチが１２個設定され、１２種類の音声等を録音・再生できるが、ボタン横一列に配列されていた場合、健常者であれば数字を見て、瞬時に希望の番号ボタンを押す事ができるが、視覚障害者には、その作業が不可能となる。
そこで図１の様に、指定スイッチ５のボタンの大きさを不均一とし、３個づつ規則的に並べれば、視覚障害者でも触覚によって瞬時に希望するボタンを探す事ができる。例えば『８番』のボタンを操作したい場合は、大きなボタンの右から２番目を指で探し、その右下が『８番』なので、瞬時に、簡単かつ確実に、希望の番号のボタンを見つける事ができる。【００１４】また、取っ手８は、緊急スイッチを兼ねており、緊急時に強く引っ張ると、サイレンが鳴る様に構成されている。通常は、指を入れて保持する部分なので、探し易く、緊急時に即座に対応でき上、この部分にストラップを付けておく事もできる。
尚、万が一、誤ってサイレンを鳴らしてしまった場合、焦ってしまい、停止操作ができなくなる恐れがある。特に視覚障害者は、目視で確認できないので、焦った時は大問題になる。そこで本発明では加速度センサーを内臓し、本体を強く振れば再生が停止する様に装置されている。
本体を振るだけなので、スイッチを探す必要が無いので、視覚障害者や高齢者にとって、極めて利便性が高い。
【産業上の利用可能性】
【００１５】本発明の、請求項１から請求項２の、いずれかに記載された構成を、１つ又は複数選択して採用すれば、視覚障害者が求めていたボイスメモを製造する事が可能となり、視覚障害者の生活の質の向上に大きく貢献する。
【符号の説明】
【００１６】  １、本発明品の本体
２、取っ手
３、メインスイッチ
４、録音・再生切り替え用の、スライド式スイッチ
５、ボタン型の、指定スイッチ（図１では１２個だが、省略し、５個のみ記載してある）
６、マイクロフォン（音声吹き込み部）
７、スピーカー（音の発生部）
８、取っ手（緊急用スイッチ兼用）
９、集積回路
１０、加速度センサー
１１、緊急用スイッチ
１２、電池
【図１】
2017134378.tif 000003
【図２】
2017134378.tif 000004